(57)【特許請求の範囲】
【請求項１】
薬剤リザーバ（２０、７０）用の識別子（５０）であって、薬剤リザーバ（２０、７０）は、薬剤（２６）を保持するように構成され、識別子（５０）は、少なくとも一枚のシート材料（１６４）及び少なくとも一枚の更なるシート材料（１６６）含み、ここで少なくとも一枚のシート材料（１６４）が上面（５４、１０４）を含み、また、更なるシート材料（１６６）がシート材料（１６４）の上面（５４、１０４）の少なくとも一部に沿って備え付けられ、また、識別子（５０）は、少なくとも一つの三次元コーディング機能（６０）を含み、ここで、シート材料は、少なくとも一つの三次元コーディング機能（６０）を含み、その少なくとも一つの三次元コーディング機能（６０）は、リザーバ（２０、７０）に関連する情報を提供するように、そして、不適当なデバイスと薬剤リザーバの使用を妨げるため薬物送達デバイス又はリザーバ保持部材に備えられた対応するコーディング機能と機械的に協働するように適合、配置され、そして少なくとも一つの三次元コーディング機能（６０）は、シート材料（１６４）に取り付けられる、又は少なくとも一つのそのコーディング機能（６０）は、エンボスコーディング機能を構成する、及び、少なくとも一つのそのコーディング機能（６０）は、シート材料（１６４）と更なるシート材料（１６６）の間でカプセル化される、上記識別子。
【請求項２】
少なくとも一枚のシート材料（１６４）が、底面（５６、１１２）を含み、底面（５６、１１２）が、識別子（５０）を薬剤リザーバ（２０、７０）の表面に付けるように構成される、請求項１に記載の識別子（５０）。
【請求項３】
更なるシート材料（１６６）が、プロファイルドカット（１８８）を画成するように構成され、ここで、プロファイルドカット（１８８）が、コーディング機能（６０）の少なくとも一つを含む、請求項１又は２に記載の識別子（５０）。
【請求項４】
識別子（５０）を含むリザーバ（２０、７０）を薬物送達デバイス（１０）内に事前に定義された向きに挿入することを可能とするように構成された少なくとも一つの合わせ機能（２２４、２２８）を、更に含んでなる、請求項１〜３のいずれか１項に記載の識別子（５０）。
【請求項５】
鋳造により成形された印刷コーディング機能（６０）又は隆起コーディング機能（６０）を、更に含んでなる、請求項１〜４のいずれか１項に記載の識別子（５０）。
【請求項６】
コーディング機能（６０）の少なくとも一つが、樹脂コーディング機能又は液体コーディング機能を含む、請求項１〜５のいずれか１項に記載の識別子（５０）。
【請求項７】
薬物送達デバイス（１０）と共に使用される薬剤リザーバ（２０）であって、薬剤リザーバ（２０）が、請求項１〜６のいずれか１項に記載の識別子（５０）及び容器（２０４）を含んでなり、ここで、薬剤（２０６）が、上記容器（２０４）内に備え付けられる、薬剤リザーバ（２０）。
【請求項８】
請求項７に記載の薬剤リザーバ（２０）を受けるように構成され、そして薬剤リザーバ
（２０）を保持するように構成されたリザーバ保持部材（１４）を含んでなる、薬物送達デバイス（１０）。
【請求項９】
リザーバ保持部材（１４）が、薬剤リザーバ（２０）のコーディング機能（６０）と協動するように適合、配置される更なるコーディング機能を含む、請求項８に記載の薬物送達デバイス（１０）。
【請求項１０】
コーディング機能（６０）及びデバイスコーディング機能との協動が、コーディング機能（６０）が更なるコーディング機能と嵌め合わないとき、薬剤リザーバ（２０）をリザーバ保持部材（１４）内に挿入することを阻止するように構成される、請求項９に記載の薬物送達デバイス（１０）。
【発明の詳細な説明】
【技術分野】
【０００１】
本開示の具体的な実施態様は、リザーバに、特に、薬剤を含むリザーバに関する。より特別には、本開示は、一般的には、三次元識別子、ラベル、又はリザーバ内に含まれている内容物（薬剤など）を表す、又は示す他の類似の指定エレメントを対象にしている。一つの例で示す通り、そのような薬剤リザーバは、アンプル、カートリッジ、バイアル、又はパウチを含んでもよく、そして医療送達デバイスと一緒に使用してもよい。典型的な医療送達デバイスは、注射器、ペン形注射器、ポンプ、吸入器、又は少なくとも一つの薬剤を含む少なくとも一つのリザーバを必要とするその他同様の注射器若しくは注入デバイスを含むが、それらに限定されない。
【背景技術】
【０００２】
アンプル、カートリッジ、又はバイアルなどの薬剤リザーバは一般的に知られている。そのようなリザーバは、患者により自己投与し得る薬剤のために、特に、使用される。例えば、インスリンに関しては、糖尿病を病む患者は、ペン形注射器を経由して注射するか、又はポンプを経由して注入するために、ある量のインスリンを必要とし得る。ある公知の再使用可能なペン形薬物送達デバイスに関しては、患者はカートリッジハウジング内にインスリンを含むカートリッジを積載し得る。カートリッジを正しく積載した後、使用者は、その後、 薬剤の用量を選択することを要求され得る。反復用量がカートリッジから投与され得る。一度、カートリッジが空になると、カートリッジが除去され、そして新しいカートリッジに代替しなければならない。そのようなカートリッジの大半の供給者は、使用者が、空のカートリッジを正しく廃棄し得ることを薦める。
【０００３】
そのような空のカートリッジの除去及び再積載を必要とする自己投与システムは、ある種の限界を有する。例えば、ある一般的に公知のシステムにおいて、使用者は、薬物送達デバイスなしで、又は不正確なカートリッジの交差した使用を阻止する機構を有するカートリッジなしで、送達システム内に新しいカートリッジを単に積載する（load）かもしれない。即ち、薬物送達デバイスは、カートリッジ内に含まれる薬剤が本当に患者により投与されるべき薬剤の正しいタイプであるかどうかを決定するための機構を持たない。あるいは、薬物送達デバイスは、カートリッジ内の薬剤の正しいタイプが、その特定の薬物送達システムと一緒に使用されるべきかどうかを決定するための機構を提示しない。糖尿病を病む患者などのある年長患者には、手先の器用さに制限があるかもしれないこの潜在的な問題は、悪化するであろう。長時間作用形インスリンの代わりに、短時間作用形インスリンなどの薬剤の可能性のある不正確な用量を投与することは障害を与え、又は死に至らせるかもしれないので、不正確な薬剤を識別することは、全く重要である。
【０００４】
ある種の薬物送達デバイス又はシステムは、使用者又は介護人に、正しい薬物送達デバイスと一緒に使用するための正しいカートリッジを選択することを支援するためにカラーコーディングスキームを使用してもよい。しかし、そのようなカラーコーディングスキームは、ある使用者に対して、特に、糖尿病を病む患者に広く流行している状況である弱視力又は色覚異常に病んでいる使用者に対して課題をもたらす。
【０００５】
そのような使い捨てカートリッジと共に生じ得る別の関心は、これらのカートリッジが本質的に標準サイズで製造され、そしてある認定された地方の規格及び国際規格を順守しなければならないことである。結果として、そのようなカートリッジは、一般的には、標準サイズカートリッジ（例えば、３ｍｌカートリッジ）で供給される。従って、多数の異なった供給者により供給され、そして異なった薬剤を含む、多様なカートリッジであってもよい。しかし、これらのカートリッジは、単回薬物送達デバイスであるかもしれない。
一つの例で示す通り、第一の供給者からの第一の薬剤を含む第一のカートリッジは、第二の供給者により提供される医療送達デバイスに適合し得る。そのように、使用者は、薬物送達デバイスが、おそらく、そのようなカートリッジ、従って、そのカートリッジ内に含まれる薬剤と一緒に使用されるように設計されず、又はそれを目的としていないことに気付くことなく、医療送達デバイス内に不正確な薬剤（インスリンの急速タイプ、又は基礎タイプなど）を充填し、そしてその後、投与することが可能となるかもしれない。
【０００６】
そのように、使用者が薬物送達デバイス内に不正確な薬剤タイプを充填する潜在的なリスクを減少させるために、使用者、医療提供者、介護者、規制当局、及び医療デバイス供給者からの強い要望がある。また、従って、そのような薬物送達デバイスからの不正確な薬剤（又は、薬剤の不正確な濃度）を投与するリスクを減少させる要望もある。
【０００７】
従って、その薬剤タイプに対して、希望しないカートリッジの交差使用を防ぐように、物理的に専念（physically dedicate）し、又はカートリッジを機械的にコード化し、そしてカートリッジ上に提供される献身(dedication)又はコード化機能を共に受け取り、又はそれと機能する注射デバイスを設計するための一般的な必要性が存在する。同様に、また、医療送達デバイスを、特定の薬剤を含み、そして望まないカートリッジの交差使用を阻止するために公認されたカートリッジのみを使用することを可能にする特定のカートリッジのための一般的な必要性が存在する。
【０００８】
また、カートリッジが非公認の薬剤又は薬物送達デバイスと一緒に使用できることに妥協できないように改ざんすることが困難であるような、特定のカートリッジを提供するための一般的な必要性は存在する。そのようなカートリッジは改ざんすることが困難であるかもしれないので、それらは、また、偽造のリスク、即ち、不規則に偽造品を提供するための偽造を困難にすることを減少させるかもしれない。
【発明の概要】
【発明が解決しようとする課題】
【０００９】
本発明により解決されるべき課題は、識別子、薬剤リザーバ、及び使用者に対する安全性が改良される薬物送達デバイスを提供することである。
【課題を解決するための手段】
【００１０】
本開示の一つの態様は、薬剤リザーバ用の識別子に関する。薬剤リザーバは、薬剤を例で示す通り、複数用量の薬剤を保持するように構成され得る。リザーバは、例えば、カートリッジを含んでもよい。識別子は、少なくとも一枚のシート材料を含んでもよい。シートは、展性可能なシート材料を含んでもよい。シート材料は、少なくとも一つの三次元コーディング機能を含んでもよい。例として、シート材料は、二つ又はそれ以上のコーディング機能を含む。少なくとも一つの三次元コーディング機能は、リザーバに関連する情報を提供するように適合、配置され得る。特に、三次元コーディング機能は、薬剤リザーバに含まれる薬剤を代表し得る。また、三次元コーディング機能は、コード化されてもよく、それが、特に、薬物送達デバイス内に、又は該デバイスのリザーバ保持部材内に合致し、特に、嵌入し得るように形成され、配置されてもよい。特に、コーディング機能は、前記デバイス上に沿って、若しくはその中に、又は前記デバイスのリザーバ保持部材の中に提供される対応するコーディング機能と協動し、及び合致させるために形成され、配置されてもよい。特に、デバイス又はリザーバ保持部材上に提供されるコーディング機能と嵌め合わないコーディング機能を含む薬剤リザーバの挿入は、薬剤リザーバのコーディング機能、及びデバイス又はリザーバ保持部材のコーディング機能の機械的協動に起因して阻止され得る。従って、コーディング機能は、不正確なデバイスと一緒に薬剤リザーバを使用することを阻止し得る。
【００１１】
実施態様によると、コーディング機能は、機械的コーディング機能である。特に、コーディング機能は、薬剤リザーバがデバイス内に挿入されるとき、デバイス上に、又はリザーバ保持部材上に提供される対応するコーディング機能と機械的に協動するように適合され、及び配置され得る。
【００１２】
三次元コーディング機能は、シート材料上に提供され、又は形成されてもよい。シート材料は、上面及び底面を含んでもよい。底面は、好ましくは、薬剤リザーバの表面に対して識別子を適用するために使用される。三次元コーディング機能は、前記シート材料の前記上面又は前記底面上のどちらかに提供されてもよく、又は形成されてもよい。コーディング機能は、隆起機能（raised features）又はくぼみ機能であってもよい。例えば、コ
ーディング機能は、エンボスのコーディング機能を含んでもよい。更に、又はあるいは、前記コーディング機能は、樹脂製のコーディング機能を含んでもよい。エンボスのコーディング機能は、例えば、エンボスのコーディング機能の堅牢さを上昇させるために、更なる材料、例えば、樹脂で満たされていてもよい。三次元コーディング機能は、例えば、印刷コーディング機能を含んでもよい。特に、エンボスのコーディング機能は、スクリーン印刷で適用される樹脂で満たされていてもよい。あるいは、前記コーディング機能は、液体のコーディング機能、特に、液体を用いるプロセスで形成されるコーディング機能を含んでもよい。特に、エンボスコーディング機能より堅牢な三次元コーディング機能を提供するために、例えば、コーディング機能は、隆起プロファイルを生成するために、固体粒子を含む液体又は溶液を用いた印刷プロセスによりシート表面に適用してもよい。液体は、例えば、硬化でき得る。あるいは、コーディング機能は、ダイキャストコーディング機能を含んでもよい。
【００１３】
実施態様によると、コーディング機能少なくとも一つは、シート材料に、解除可能に、又は恒久的に取り付けられ、例えば、接着される。特に、コーディング機能は、シート材料の上面又は底面に取り付けられてもよい。
【００１４】
実施態様によると、少なくとも更なる一枚のシート材料が提供される。更なるシート材料は、シート材料の少なくとも上面の一部に沿って提供され得る。少なくともコーディング機能の一つは、シート材料の一部と更なるシート材料の一部の間でカプセル化され得る。
【００１５】
実施態様によると、更なるシート材料は、プロファイルドカット（profiled cut）を画成するように構成される。プロファイルドカットは、コーディング機能の少なくとも一つを含み得る。プロファイルドカットは、例えば、リザーバ保持部材において配置された対応する機能と協動するように適合、配置され得る。特に、プロファイルドカットは、リザーバ保持部材の内部キャビティ上に対応する隆起領域と協動し得る。
【００１６】
実施態様によると、識別子は、少なくとも一つの、好ましくは、二つ又はそれ以上の合わせ機能を含む。合わせ機能は、事前に定義された向きに、薬物送達デバイス内へ、識別子を含むリザーバの挿入を可能にするように構成され得る。個々の合わせ機能は、例えば、以前に記載したリザーバ保持部材において提供される対応する合わせ機能と協動するように構成され得る。特に、リザーバ保持部材の合わせ機能は、リザーバ保持部材が個々の合わせ機能の位置で与えられる所定の向きにおいて識別子を受け入れることができるように、識別子の合わせ機能に合致しなければならない。
【００１７】
実施態様によると、識別子は、更に、二次元のコーディング機能を含む。二次元の機能は、識別子の表面上に提供されてもよい。二次元の機能は、例えば、識別子の表面に印刷されてもよい。二次元の情報は、例えば、リザーバ中に含まれる薬剤の名称などの情報を提供してもよい。
【００１８】
更なる態様は、薬剤リザーバに関する。薬剤リザーバは、薬物送達デバイスと一緒に使用されるように適合し得る。薬剤リザーバは、例えば、カートリッジ又はバイアルを含んでもよい。薬剤リザーバは、以前に記載した識別子を含んでもよい。薬剤リザーバは、容器を含んでもよい。薬剤、例として複数用量の薬剤は、前記容器内に含まれていてもよい。 識別子は、解除可能に、又は恒久的に前記容器に適用するように構成され得る。識別子は、前記容器中に含まれる薬剤を代表し得る。識別子はコード化されてもよく、特に、前記容器を使用するために適合され、配置される薬物送達デバイスにおいて、それが使用されてもいいように少なくとも一つの三次元コーディング機能を含んでもよい。
【００１９】
更なる態様は、薬物送達デバイスに関する。デバイスはペン形デバイスを含んでもよい。薬物送達デバイスは、以前に記載した薬剤リザーバを受け入れるように構成されてもよい。薬物送達デバイスは、リザーバ保持部材、例えば、カートリッジホルダを含んでもよい。リザーバ保持部材は、薬剤リザーバを保持するように構成されてもよい。リザーバ保持部材は、内部キャビティを含んでもよい。内部キャビティは、薬剤リザーバを受け入れ、及び保持するように構成されてもよい。内部キャビティ、リザーバ保持部材、及び／又は、デバイスは、デバイスコーディング機能を含んでもよい。デバイスコーディング機能は、薬剤リザーバのコーディング機能と協動するように適合され、配置されてもよい。コーディング機能及びデバイスコーディング機能との協動は、コーディング機能がデバイスコーディング機能と嵌め合わないとき、薬剤リザーバのリザーバ保持部材内への挿入を阻止するように構成され得る。特に、リザーバが非嵌合の識別子、特に、非嵌め合いのコーディング機能を備えているとき、間違った薬剤を保持する薬剤リザーバは、薬物送達デバイスのリザーバ保持部材内に積載されることを阻止され得る。この方法により、デバイスからの間違った薬剤の投与は阻止され得る。
【００２０】
好ましい実施態様によると、薬剤リザーバ用の識別子が提供され、薬剤リザーバは、薬剤を保持するように構成され、識別子は、少なくとも一つの三次元コーディング機能を含
む少なくとも一枚のシート材料を含み、ここで、少なくとも一つの三次元コーディング機能は、リザーバに関連する情報を提供するように適合され、配置される。
【００２１】
好ましい実施態様によると、薬剤リザーバ用の識別子が提供され、前記識別子は、展性可能なシート材料を含み、前記シート材料は、上面、底面を含み、前記底面は、前記薬剤リザーバの表面に前記識別子を適用するように使用され、そして第一の三次元機能は、前記シート材料に形成される。
【００２２】
好ましい実施態様によると、薬剤リザーバ用の識別子は、一枚のシート材料を含み、そしてこのシート材料は、上面、底面を含む。底面は、薬剤リザーバの表面に識別子を適用するために使用される。第一の三次元コーディングエレメントは、シート材料の上面又は底面上に形成される。
【００２３】
好ましい実施態様によると、薬剤リザーバ用の三次元識別子は、第一のシート材料を含む。第二のシート材料は、第一のシート材料の上面の少なくとも一部に沿って提供される。カプセル化された機能は、第一のシート材料の部分と第二のシート材料の部分の間で提供される。
【００２４】
好ましい実施態様によると、薬剤リザーバ用の三次元識別子は、第一のシート材料を含み、第二のシート材料は、前記第一のシート材料の上面の、少なくとも一部に沿って提供され、前記第二のシート材料はプロファイルドカットを定義し、ここで、前記プロファイルドカットはコーディング機能を含む。
【００２５】
好ましい実施態様によると、薬剤リザーバ用の三次元識別子は、一枚のシート材料を含み、前記シート材料は、上面、底面を含んでなり、上記底面は、前記薬剤リザーバの表面
に取り付け可能であり、そして、第一の三次元コーディングエレメントは前記シート材料に取り付けられる。
【００２６】
好ましい実施態様によると、薬剤リザーバは容器を含み、そして薬剤は、容器内に提供される。ストッパは、固定的に容器に取り付けられ、ここで、ストッパは、薬剤の一部が容器から出てくることを阻止する。三次元識別子は、容器に適用される。この配置において、三次元識別子は、容器内に含まれる薬剤を代表し得る。
【００２７】
本発明の様々な態様のこれら、並びに、その他の利点は、添付の図面を適切に参照して、次の詳細な記述を読むことにより当業者には明白になるであろう。
【００２８】
本発明の範囲は特許請求範囲の内容で定義される。本発明は特定の実施態様に制限されず、異なった実施態様のエレメントのいかなる組合せも含む。更にその上、本発明は、請求項のいかなる組合せも、及び請求項で開示される機能のいかなる組合せも含む。
【００２９】
例示的な実施態様は、図面を参照して本明細書で記載される：
【図面の簡単な説明】
【００３０】
【図１】ペン形薬物送達デバイスを図示する。
【図２】図１で示すペン形薬物送達デバイスのカートリッジホルダ内に積載され得るカートリッジを図示する。
【図３】図１で示す薬物送達デバイスなどのペン形薬物送達デバイスと一緒に使用し得るカートリッジと一緒に使用するための三次元識別子の第一の配置を図示する。
【図４】薬剤を含むカートリッジに取り付けされた図３で示す三次元識別子を図示する。
【図５】カートリッジ用の三次元識別子の第二の配置を図示する。
【図６】カートリッジ用の三次元識別子の第三の配置を図示する。
【図７】カートリッジ用の三次元識別子の第四の配置を図示する。
【図８】カートリッジ用の三次元識別子の第五の配置を図示する。
【図９】カートリッジ用の三次元識別子の第六の配置を図示する。
【図１０】三次元識別子と一緒に使用され得る代替のリザーバを図示する。
【図１１】カートリッジ用の三次元識別子の第七の配置を図示する。
【図１２】Ａ〜Ｃは、図１１で示す配置の線１−１に沿って切断したコーディング及び合わせ機能の様々な実施態様の断面図を図示する。
【図１３】Ａ〜Ｃは、図１１で示す配置の線１−１に沿って切断したコーディング及び合わせ機能の様々な実施態様の断面図を図示する。
【発明を実施するための形態】
【００３１】
図１を参照して、ペン形注射器タイプの形状の薬物送達デバイスを示す。この薬物送達デバイス又はペン形注射器１０は、用量設定機構１２、カートリッジハウジング１４及び取り外し可能なキャップ１６を含む。カートリッジハウジング１４の近位端１５、及び用量設定機構１２の遠位端１３は、共に取り外し可能に固定し得る。薬物送達デバイス１０が使用されないとき、取り外し可能なキャップ１６は、カートリッジハウジング１４上に、解除可能に、保持できる。ペン形注射器１０は、再使用可能な、又は使い捨てのペン形注射器であってもよい。  注射器１０は、再使用可能なデバイスであるところでは、カートリッジホルダ１４、及び用量設定機構１２は、好ましくは、一緒に取り外し可能に連結される。使い捨てデバイス１０において、それらは、一緒に、恒久的に連結され得る。
【００３２】
カートリッジハウジング１４は、薬剤２６を含む取り外し可能なカートリッジ２０を含む。図１を参照して、カートリッジハウジング１４は、取り外し可能なカートリッジ２０を収納する。
【００３３】
図２は、図１で示す薬物送達デバイス１０と共に使用され得るカートリッジ２０の透視図を図示する。
【００３４】
カートリッジハウジング１４により定義される内部カートリッジキャビティ１１が寸法をしめされ（dimensioned）、カートリッジ２０を確実に受け入れ、保持するように構成される。カートリッジ２０は、一般的に、遠位端３０から近位端３２へ伸びる管状バレル２２を含む。遠位端３０は、内側に合流するショルダ３１で定義される。
【００３５】
遠位端３０において、カートリッジ２０は、小さい直径のネック２６を含み、このネックは、バレル２２のショルダ３１から遠位的に突出する。好ましくは、この小さい直径のネック２６は、大きい直径の環状ビーズ（示されていない）を備え、このビーズは、ネック２６の最遠位端においてその円周状に伸びる。穿孔可能なシール又はセプタム２１は、ネックで定義される開放遠位端を横切って確実に取り付けられる。シール２１は、金属性のスリーブ２４により所定の位置で保持され得る。このスリーブ２４は、ネックの遠位端において円周状のビーズの周りにクリンプし得る。薬剤２６は、カートリッジ２０内にプレフィルドされ、そして、部分的に、穿孔可能なシール２１、金属スリーブ２４、及び可動ストッパ２８により、カートリッジ２０内に保持される。ストッパ２８は、カートリッジ２０の第一端又は近位端に維持される。ストッパ２８は、バレル２２の内部管壁と摺動的流体密封係合を行う。用量投与中のストッパ２８に対する遠位方向における軸方向に向いた力は、カートリッジハウジング又はカートリッジホルダ１４の遠位端上に取り付けられ得る両頭針（明確に示されていない）を通してカートリッジ２０から薬剤２６を放出する。
【００３６】
カートリッジハウジングのキャビティ１１を定義するカートリッジハウジング１４の部分は、図２のＤ１で示される実質的に一様な直径（uniform diameter）４０である。この直径Ｄ１は、好ましくは、カートリッジ２０の直径より若干大きい。カートリッジホルダ１４の内部は、カートリッジホルダ１４内で、カートリッジ２０を動かすのを阻止するように寸法を決めた内側に伸びる環状部分又は停止部１８を含む。この方式において、カートリッジ２０がカートリッジホルダ１４のキャビティ１１内に積載され、そして、カートリッジホルダ１４が、その後、用量設定機構１２に連結されるとき、カートリッジ２０は、カートリッジキャビティ１１内に確実に保持されるであろう。より特別には、カートリッジ２０のネック２６及びクリンプ金属スリーブ２４は、最終的には、カートリッジハウジング１４内に完全に通過していくクリンプ金属スリーブ２４を備えたカートリッジホルダ１４の開放近位端内へ、近位から遠位方向に向かって挿入される。用量設定機構１２に取り外し可能に連結されたカートリッジハウジング１２に関しては、カートリッジ２０の近位端は、一般的に、用量設定部材１２により提供される停止部に隣接するであろう。
【００３７】
薬剤２６の多くの用量は、カートリッジ２０から投与され得る。好ましくは、カートリッジ２０は、一日当たり一回又は多数回の頻度で投与しなければならないタイプの薬剤２６を含む。そのような薬剤の一つがインスリンである。
【００３８】
用量設定機構１２は、用量設定機構１２の近位端において、用量設定器１７を含む。一つの好ましい配置において、用量設定器１７は、用量を設定するために回転する。この設定用量を投与するために、使用者は、カートリッジハウジング１４の遠位端上に、以前に説明した両頭が相似した針を含むニードルアセンブリを取り付ける。このように、ニードルアセンブリは、カートリッジ２０のシール２１を穿孔し、その結果、薬剤２６と液体連結する。使用者は、設定用量を注射するために用量設定器１７を押す。同様の用量設定及び用量投与手法は、カートリッジ２０中の薬剤２６が消費され、その後、新しいカートリッジ２０がデバイス１０内に積載されなければならなくなるまで続く。空のカートリッジ２０を交換するために、使用者は、用量設定機構１２からカートリッジハウジング１４を取り除くことが求められる。
【００３９】
図３は、図１で図示されたデバイス１０などの薬物送達デバイスと一緒に使用するための三次元識別子の第一の配置を図示する。この図において、三次元識別子５０は、一般的に平板状態で示される。しかし、当業者なら認識する通り、識別子５０は、従来のカートリッジ又はバイアル２０の滑らかに曲がった外面（図１及び２参照）のような滑らかな曲面リザーバに固定され得る程度の可撓性を有する材料を含み得る。
【００４０】
この第一の配置において、三次元識別子５０は、単一層の展性可能な材料５２を含み、ここで、そのような展性可能な材料５２は、それが縦軸の周囲において可撓性があるが、その形状をラベル面で保持し、又は好ましい形状又はプロファイルを形成するためのプロセスを経由して操作可能であるように選択される。  そのような材料５２は、例えば、ＰＥ、ＰＥＴ、ＰＶＣ、ＬＤＰＥを含んでもよい。この第一の材料５２は、第一、又は、上面５４、及び第二、又は底面５６を有する。この配置において、識別子５０は、材料又はフィルムの可撓性ピースを含む。好ましくは、この材料又はフィルムは、エンボシング又はスタンピングなどの多くの方法で形成できる少なくとも一つの外側に面するプロファイル６０を備えている。このプロファイル６０は、基盤材料又はフィルムを要求された三次元プロファイルの逆型を有するダイの中へ通過させることにより形成され得る。プロファイル整合のためのスタンプ又はパンチは、ラベル材料をダイ内へ変形させるために使用される。このスタンピング又はパンチング工程は、好ましいプロファイル６０を創造するために、識別子芯材料５２に恒久的な変形を発生させる。このエンボス機能の頑健性（robustness）を上昇させるために、それは、例えば、ノズルから、又はスクリーン印刷により適用される樹脂で充填され得る。図示する通り、このスタンピングプロセスにより創造されるプロファイル６０は、一般的に、半円形の形体を有する。しかし、当業者なら理解する通り、代替の形状プロファイルも、また、使用してもよい。
【００４１】
好ましくは、多次元識別子５０は、また、芯材料５２の上面５４に沿って提供される二次元識別子を含む。この二次元情報は、リザーバ２０中に含まれる薬剤の名称、薬剤２６の供給者に関する情報；薬剤２６の寿命又は有効期限の情報、推薦する貯蔵条件、製造情報（ロット情報、製造の日付又は場所）、濃度、体積などの情報を含み得る。
【００４２】
図３に示す識別子５０が、単独の三次元コーディング機能又はプロファイル６０を含むが、識別子５０が複数のそのようなコーディング機能６０を含むことが認識されるであろう。あるいは、識別子５０は、そのようなプロファイル６０のパターン含むかもしれない。複数のコーディング機能６０を有するそのような配置において、ここで、薬剤供給者は、可能性のある三次元プロファイル６０、及び／又は、プロファイルの配置、薬剤２６の数を増加させるので、従って、リザーバ２０に含まれる可能性のあるコード化された薬剤２０の数は、同様に増加するであろう。
【００４３】
図４は薬剤リザーバ７０に固定された図３で示す三次元識別子５０を図示する。そのような薬剤リザーバ７０は、図２で示すカートリッジ２０のようなカートリッジを含み得る。識別子５０は、カートリッジ７０の円筒状外面の周囲を包み、そして固定される。
【００４４】
図示する通り、三次元識別子５０は、カートリッジ７０に固定され、ここで、識別子５０の底面５６は、糊剤、接着剤、又は識別子５０をカートリッジ７０の外面７４に半恒久的に固定されることを可能にするその他同様の接着成分を備えている。図示する通り、識別子プロファイル６０は、好ましくは、カートリッジ７０の遠位端７１に向かって位置する。この方式において、カートリッジ７０及び識別子５０は、カートリッジ７０及び識別子５０が図１で図示されるカートリッジハウジング１４のようなカートリッジハウジングと一緒に使用されるとき、カートリッジハウジング１４は、プロファイル６０が適切にカートリッジハウジング１４の内部キャビティ１１内を通過できるように識別子５０の改変された寸法を受け入れることができるように、機械的に改変される必要がある。即ち、内部キャビティ１１は、異なった直径Ｄ２：４２を有するカートリッジ７０を受け入れるために改変する必要がある。一つの例で示す通り、内部キャビティ１１は、図１１のようにカートリッジ７０上に突起６０を通過させることを可能にするために窪みを含むことができる。使用者が、カートリッジ、又は図７で示す識別子システム７０を未改変のカートリッジハウジング１４と一緒に使用しようとする場合、プロファイル６０は、単に、カートリッジ７０を未改変のカートリッジハウジング１４内に適合し得ることを阻止し、従って、使用者に、カートリッジ７０はカートリッジハウジング１４と一緒に使用することを意味しないことを知らせる。
【００４５】
このように、使用者がカートリッジホルダ１４内にカートリッジ７０を積載しようとするとき、隆起コーディングプロファイル６０は、受け取り可能なカートリッジ７０を許可し、又は受け入れ不能カートリッジ７０を薬物送達デバイス１０内へ挿入することを阻止するであろう。薬物送達デバイス１０、薬剤２６を含むカートリッジ７０、又は薬剤投与システムの機械的構造に依存して、コーディングプロファイル６０（複数のプロファイル又はプロファイルアレイ）は、カートリッジ７０の近位端に向かって、カートリッジ７０の異なった部分に沿って提供され得る。
【００４６】
識別子５０は、更に、二次元識別子５８を含む。この配置において、識別子５０は、二次元識別子５８がカートリッジ７０の近位端の近くに存在するように、そして三次元識別子６０がカートリッジ７０の遠位端近くに存在するように、カートリッジ７０に適用されてきた。カートリッジ７０の遠位端近くにこの三次元識別子６０を置く利点は、いかにして使用者が通常通りに新しいカートリッジ７０を、ペン形薬物送達デバイスなどのデバイス１０のカートリッジハウジング１４内へ装填するかを誘導する。即ち、多くの一般的なペン形薬物送達デバイス１０に関しては、使用者は、初めに、カートリッジ７０の遠位端をカートリッジホルダ１４内へ置くことによりデバイス１０内へ新しいカートリッジ７０を積載する。そのような場合において、使用者が不正確なカートリッジ７０をカートリッジホルダ１４内へ装填するところでは、使用者は、不正確なカートリッジ７０を積載しようとすることを、直ちに、警告されるであろう。
【００４７】
図５は、代替の三次元識別子１００を示す。この識別子は、上面１０４及び底面１１２を有する第一の材料１０２を含む。図３に示す識別子５０により提供される、スタンプ、又はエンボスされたコーディング機能６０より頑健なコーディング機能を提供する目的で、材料１０２は、印刷プロセスによりその表面に適用される三次元機能１０８を有する。このプロセスは、隆起したプロファイルを生成させるために、樹脂、液体、又は固体粒子を含む溶液を使用してもよい。樹脂用材料の例としては、ポリプロピレン、ポリウレタン、ポリエステル、又はエポキシがあり；液体としては、オイルベースのワニスであってもよく；そしてそれらは、グラス又はポリマーなどの固体粒子を含んでもよい。
【００４８】
一例で示す通り、そのような印刷は、樹脂、液体、又は軟質のプラスチック材料を調剤するノズルを備えたコンピュータ制御のプリントヘッドを用いて実施できる。制御されたプリントヘッドで適用される流動体又は材料は、熱、光を用いて、又は空気若しくは湿気に対する反応により硬化することが可能であり、又は固化させることが可能である。硬化のあと、隆起したプロファイル又は三次元機能１０８の幾何学的形状は、識別子１００の、固定され、一体化された部分になる。
【００４９】
図６は、尚、三次元識別子１２０の別の配置を示す。この配置において、識別子１２０は、単層の材料又はフィルム１２２を含む。材料又はフィルム１２２のこの層は、第一の面、又は上面１２４、及び第二の面、又は底面１２６を含む。本明細書で開示された他の識別子配置と同様に、第二の面、又は底面１２６は、リザーバ表面に対して半恒久的に接着するために化学的に調製され得る。
【００５０】
隆起コーディングプロファイル１２８は、この単層１２２の第一の表面１２４上に鋳造される。一つの好ましい実施態様において、この隆起コーディングプロファイル１２８は、粘調な樹脂又は液体を用いて鋳造され得る。例えば、隆起コーディングプロファイル１２８は、事前に定義された領域を有する。この事前に定義された領域は、コーディング機能１２８を定義し、そして材料１２２の上面１２４を、円滑な光沢ワニス又はインクで、先ずコーティングすることにより創造できる。好ましくは、そのようなワニス又はインクは、樹脂又は液体の流れを含むためにマスクとして作用する。材料１２２の上面１２４の領域を未コートのままにすることにより、これは鋳造材料を事前に定義された領域において識別子１２０の上面１２４に結合することを可能にし、そしてその結果、三次元コーディング機能１２８を提供する。鋳造プロセスは、材料１２２の上面にノズル又はディスペンサからポリウレタン又はポリエステルなどの樹脂又は液体を移動し得る。適用された樹脂又は液体は、隠された単独領域、又は複数領域の端部にまで流動させてもよく、そして未処理のラベル表面にのみ接続する。再び一つのプロファイル１２８のみ図６に示されるが、プロファイル１２８のような複数のプロファイル又はプロファイルパターンを活用する代替の識別子配置が活用され得る。
【００５１】
図７は、尚、三次元識別子１４０の別の配置を示す。この配置において、識別子１４０は、単層材料又は単層フィルム１４２より成る。再び、この単層材料又は単層フィルム１４２は、上面１４４及び底面１４６を含む。コーディング機能１４８は、この材料の上面１４４に取り付けられ、そしてこの分離したコーディング機能１４８は、糊付け、結合、又は熱の適用により取り付けられる。コーディング機能１４８は、成形され、ダイカットされ、又はレーザプロファイルされた構成部品として作ることができる。コーディング機能１４８が上面１４４に取り付けられたとき、隆起コーディング機能１４８は、識別子１４０の一体部分になり得る。
【００５２】
図８は三次元識別子１６０の、尚、別の配置を示す。この配置において、識別子１６０は、二層の材料又はフィルム：第一の層１６４及び第二の層１６６を含む。これら二層の材料１６４、１６６は、分離したコーディング機能１６８をカプセル化するために使用し得る。このカプセル化されたコーディング機能１６８は、隆起コーディング機能１７０を第一の材料１６４に沿って定義する。一つの配置において、第一の層１６４及び第二の層１６６は、成形され、ダイカットされ、又はレーザプロファイルされた構成部品の周囲に置いてもよい。一つの好ましい配置において、第一及び第二の層１６４、１６６を熱の適用下で結合させるプロセスは、第一の層１６４をコーディング機能１６８の周囲で変形させる。表面プロファイルにおいて得られた変化は、識別子１６０の三次元コーディング機能１６８を提供する。
【００５３】
代替の配置において、識別子１６０の第一の層１６４は、隆起プロファイルを創造するためにダイツールを用いてエンボスできる。この隆起プロファイル１６８が定義されると、個々のプロファイルされた構成部品は、その後、エンボス領域に置くことができる。識別子１６０の第二の層１６６は、その後、それにより、識別子１６０を創造するために、プロファイルされた構成備品１６８をカプセル化するために、エンボスされた第一の層１６４及び個々のプロファイルされた構成部品１６８に適用できる。
【００５４】
尚、別の代替配置において、更なるプロセスは、樹脂がノズルから、又はスクリーン印刷プロセスにより適用されるエンボスされた第一の層１６４を使用できる。第二の層１６６は、完成した識別子１６０を形成するために樹脂をカプセル化するであろう。コーディングの詳細は、材料又はフィルムの第一及び第二の層１６４、１６６間でカプセル化された隆起プロファイル１６８により提供される。
【００５５】
図９は、三次元識別子１８０の、尚、別の配置を図示する。この配置において、識別子１８０は、材料又はフィルム１８２の第一又は上層１８４、及び第二又は底層１８６を含む。あるいは、識別子１８０は、材料又はフィルム１８２の二つの層より多くの層を含んでもよい。図示する通り、上層１８４は、除去すべき材料の領域を定義するプロファイルドカット１８８を定義する。カットプロファイルを剥ぎ取り、又は取り除くことは、識別子１８０の第一の面内に凹部帯１８８を創造する。
【００５６】
表面高さのこの変化は、図１で示すカートリッジホルダ１４のようなカートリッジホルダの内部キャビティ１１上の対応する隆起領域内に適合させるコーディング機能１８８を提供することができる。二つの部分を用量設定機構１２に対してカートリッジハウジング１４のアセンブリ上に一緒に合体させることにより、正しいカートリッジがカートリッジホルダ１４内に、そしてその結果、薬物送達デバイス１０内に積載されることを確認するであろう。
【００５７】
図１１は、三次元識別子２２０の別の配置を図示する。一つのコーディング機能が新規である場合、そのコーディング機能は、別のコーディング機能を合わせするために使用できる。これは図１１で示される。図１１において、カートリッジ２３０の外面２３２に固定された三次元識別子２２０が示される。識別子２２０は、二つの隆起した機能：カートリッジ２３０の近位端２３４で示されるオス型コーディング機能２２２及びオス型合わせ機能２２４を含む。カートリッジハウジング２４０の内部キャビティ２４２は、対応するメス型コーディング機能２４４及びメス型合わせ機能２４６を含む。カートリッジ２３０上のオス型コーディング機能２２２及びオス型合わせ機能２２４は、内部キャビティ２４２が識別子２２０を受け入れることができ、オス型機能をカートリッジハウジング２４０の内部キャビティ２４２内に適切に通過させることを可能にするように、メス型コーディング機能２４４及びメス型合わせ機能２４６を一致させなければならない。オス型コーディング機能２２２及びオス型合わせ機能２２４は、カートリッジ２３０の近位端２３４で示されるが、オス型コーディング機能２２２及びオス型合わせ機能２２４は、カートリッジ２３０に沿っていかなる位置にも位置してもよい。機能はカートリッジ２３０の遠位端２３６で、若しくはその近辺で、又はカートリッジ２３０に沿って中間位置で位置してもよい。    
【００５８】
図１２Ａ、１２Ｂ、及び１２Ｃは、図１１で示す配置の線１−１に沿って切断したコーディング及び合わせ機能の様々な実施態様の断面図を図示する。図１２Ａ及び１２Ｂは、オス型合わせ機能及びオス型コーディング機能２２２の様々な配置を示す。図１２Ａ及び１２Ｂにおいて、オス型合わせ機能２２４は、合わせ機能２２４がカートリッジハウジング２４０の内部キャビティ２４２に配置された窪み内に適合できなくなり、そしてコーディング機能２２２と協動することを対象とするように、オス型コーディング機能２２２より厚い突起部を含み得る。図１２Ａ及び１２Ｂで示す通り、オス型合わせ機能２２４及びオス型コーディング機能２２２は、識別子２２０の円周に沿って様々な位置で存在し得る。図１２Ｃは、カートリッジ２３０が二つの向きのいずれかに挿入可能となるように、軸対称的に配置された同等の二セットのオス型合わせ機能２２８及びオス型コーディング機能２２９を含む代替識別子２２０を示す。その他多くのオス型合わせ機能及びオス型コーディング機能は、三次元識別子２２０上に存在し得る。
【００５９】
図１３Ａ、１３Ｂ、及び１３Ｃは、図１１で示す配置の線１−１に沿って切断したコーディング及び合わせ機能の様々な実施態様の断面図を図示する。図１３Ａ及び１３Ｂは、オス型コーディング機能２２２より大きい幅を有するオス型合わせ機能２２４を示す。図１３Ａ及び１３Ｂで明示する通り、オス型合わせ機能２２４及びオス型コーディング機能２２２は、識別子２２０の外周に沿って様々な位置に存在してもよい。図１３Ｃは、カートリッジ２３０が二つの向きの内のどちらかに挿入可能であるように、二セットの同等の軸対称的に配置されたオス型合わせ機能２２８及びオス型コーディング機能２２９を含む代替の識別子２２０を示す。その他多くのオス型合わせ機能及びオス型コーディング機能は、三次元識別子２２０上に存在してもよい。
【００６０】
図１１及び１２Ａの配置は、カートリッジ２３０の円筒状表面とカートリッジハウジング２４０の間のクリアランスが楕円性又は他の許容誤差に起因したカートリッジ２３０のカートリッジハウジング２４０への突き刺しを阻止することを可能にする。カートリッジ２３０の同じ側にある合わせ機能２２４及びコーディング機能２２２の両方で図示する通り、カートリッジ２３０は、中心から離れて押され、不正確なカートリッジ２３０を適合することを可能にする。この問題は、コーディング、及び／又は、合わせ機能が図１２Ｂ及び１２Ｃで示す通り、軸対称的に配置されるならば減少できる。
【００６１】
更に、矢印は、使用者がどちらの機能が合わせすべきかを容易に決めることができるように、オス型合わせ機能及びメス合わせ機能の両方に存在し得る。
【００６２】
三次元コーディングシステムは、多くの利点をもたらす。例えば、コーディングシステムは、使用者に薬剤を区分けすることを支援し得、それにより、デバイスが意図する薬剤と一緒のときのみ、送達デバイスを使用できることを確実にするために役立つ。特に、カートリッジに適用された提案された三次元コーディングシステムに関しては、カートリッジが不正確な識別子を含むとき、カートリッジは、薬物送達デバイス内に積載することを阻止する。カートリッジ識別子は、使用者に一つ又はそれ以上の次の動作：不正確なカートリッジホルダ内にカートリッジを完全に挿入すること、又は不正確な用量設定機構上にカートリッジ、及び／又はカートリッジホルダを取り付けること：を阻止することである。
【００６３】
インスリン市場を主要な目的とするが、今開示された多次元識別子は、他の薬剤にも同様に適用し得る。例えば図１で図示する通り、今開示された多次元識別子の一つの好ましい応用は、次の例：図１で図示されたカートリッジ（例えば、３ｍｌの円筒状ガラスカートリッジ）を備えた注射ペン、及び分離カートリッジハウジングを含む様々な薬物送達デバイスに適用できる。更にその上、識別子は、ホルダが第一次包装で処分されるように、ホルダに取り外し不能に保持されたカートリッジ（例えば、３ｍｌ円筒状カートリッジ）を備えた注射ペンに、そして第一次包装が直接ペンに、例えば、射出成形されたポリマー製のカートリッジに取り付けられた注射ペンに、適用し得る。
【００６４】
その上、識別子は、いかなるタイプのリザーバ又は第一次包装、例えば、吸入器又はポーチを備えたいかなる薬物送達デバイスに適用してもよい。例えば、図１０は、薬剤２０６を含む容器２０４含有する薬剤リザーバ２００を図示する。ストッパ２１０は、容器２０４の遠位端に沿って提供され、そして薬剤を容器２０４から放出することを阻止するために、容器２０４に取り付けられる。尚、別の配置において、三次元識別子２０２は、容器２０４の出口ポート２１２に近い容器２０４上に提供される。この出口ポート２１２は、剛性のあるネックを有し、そして三次元識別子２０２は、このネックに沿って提供される。
【００６５】
識別子は、また、次の例示を含むデバイス内の様々な構成部品にも、そして構成部品のいかなる位置に対しても適用してもよく、例えば、遠位端又は近位端又は中間位置: 
カートリッジ（又はカートリッジに取り付ける機能）とそのホルダ間のインタフェース；カートリッジ（又はカートリッジに取り付ける機能）と薬物送達デバイス間のインタフェース；
及びカートリッジホルダ、成形カートリッジ又は他の第一次包装と薬物送達デバイス間のインタフェースにも適用してもよい。
【００６６】
三次元識別子は、多くの利点をもたらし得る。例えば、三次元識別子は、低コストのコーディング機構をもたらし得、何故ならば、それは カートリッジに既に適用されたラベル上に形成され、そしてコスト的に効率な手法で製造できる。更に、使用し得る大多数の異なったコーディング構成が存在する。結果として、提案された三次元コーディングスキームに関しては、大多数の薬剤は、互いに区別できる。加えて、三次元コーディングスキームに関しては、使用者が不正確なリザーバを異なったカートリッジに対して設計したカートリッジホルダ内に積載しようと試みる場合、使用者は、組立プロセスの初期の段階で警告されるであろう。
【００６７】
本発明の例示的な実施態様を説明した。しかし、当業者なら、変化及び改変は、特許請求範囲で定義される本発明の真の範囲及び精神から外れることなくこれらの配置に対してなし得ることは理解するであろう。
【００６８】
参照数字
１０：薬物送達デバイス；
１１：内部キャビティ；
１２：用量設定機構；
１３：用量設定機構の遠位端；
１４：カートリッジハウジング／カートリッジホルダ；
１５：カートリッジハウジングの近位端；
１６：キャップ；
１７：用量設定器；
１８：環状部分／停止部；
２０：カートリッジ；
２１：セプタム；
２２：バレル；
２４：スリーブ；
２６：薬剤／ネック；
２８：ストッパ／ピストン；
３０：カートリッジの遠位端；
３１：ショルダ；
３２：カートリッジの近位端；
４０：直径；
４２：直径；
５０：識別子；
５２：展性可能な材料／心材料；
５４：上面／第一の面；
５６：底面／第二の面；
５８：二次元識別子；
６０：プロファイル／三次元コーディング機能；
７０：薬剤リザーバ／カートリッジ；
７１：カートリッジの遠位端；
７４：外面；
１００：識別子；
１０２：第一の材料；
１０４：上面；
１１２：底面；
１０８：隆起コーディングプロファイル；
１２０：識別子；
１２２：材料／フィルム；
１２４：上面／第一の面；
１２６：底面／第二の面；
１２８：隆起コーディングプロファイル；
１４０：識別子；
１４２：材料／フィルム；
１４４：上面／第一の面；
１４６：底面／第二の面；
１４８：隆起コーディングプロファイル；
１６０：識別子；
１６４：第一の層；
１６６：第二の層；
１６８：カプセル化されたコーディング機能；
１７０：隆起コーディングプロファイル；
１８０：識別子；
１８４：第一の層；
１８６：第二の層；
１８８：プロファイルドカット／凹部帯；
２００：薬剤リザーバ；
２０１：識別子；
２０４：容器；
２０６：薬剤；
２１０：ストッパ；
２１２：ポート；
２２０：識別子；
２２２：オス型コーディング機能；
２２４：オス型合わせ機能；
２２８：オス型合わせ機能；
２２９：オス型コーディング機能；
２３０：カートリッジ；
２３２：外面；
２３４：カートリッジの近位端；
２３６：カートリッジの遠位端；
２４０：カートリッジハウジング；
２４２：内部キャビティ；
２４４：メス型コーディング機能；
２４６：メス型合わせ機能；
【図１】
0005847092.tif 000002
【図２】
0005847092.tif 000003
【図３】
0005847092.tif 000004
【図４】
0005847092.tif 000005
【図５】
0005847092.tif 000006
【図６】
0005847092.tif 000007
【図７】
0005847092.tif 000008
【図８】
0005847092.tif 000009
【図９】
0005847092.tif 000010
【図１０】
0005847092.tif 000011
【図１１】
0005847092.tif 000012
【図１２】
0005847092.tif 000013
【図１３】
0005847092.tif 000014